(57)【要約】  【課題】  従来、多数の番組から視聴すべき番組を選択する際、キーワードなどを入力し検索を行う方法が行われてきたが、検索の対象となる番組情報のデータベースに、入力したキーワードと合致する語が存在しない場合には、適切な番組選択は行われない。さらに、番組検索のために、利用者がキーワードの入力を行わなければならないとすると煩雑である。  【解決手段】  本発明は、処理の識別情報と、処理されたコンテンツの識別情報とを関連付けたコンテンツ処理情報を他の電子機器に送信し、代わりに他の電子機器からコンテンツ処理情報を受信して集計した情報に基づいてコンテンツ推薦情報を生成するコンテンツ処理装置を提案する。このとき、送信元の電子機器に応じて、受信したコンテンツ処理情報に重み付けを行い、より精度の高い推薦を行うことを目的とする。【選択図】            図２
2006129403.tif 000002
【特許請求の範囲】
【請求項１】
コンテンツの処理を行うための処理部と、
前記処理部で処理されたコンテンツのコンテンツ識別情報と、前記処理部での処理を識別する処理識別情報とを関連付けた情報であるコンテンツ処理情報を保持するコンテンツ処理情報保持部と、
前記コンテンツ処理情報保持部に保持されているコンテンツ処理情報を他の電子機器に送信するコンテンツ処理情報送信部と、
他の電子機器のコンテンツ処理情報送信部から送信されたコンテンツ処理情報を受信するコンテンツ処理情報受信部と、
前記コンテンツ処理情報受信部で受信したコンテンツ処理情報を集計するコンテンツ処理情報集計部と、
前記コンテンツ処理集計情報集計部が集計したコンテンツ処理集計情報に基づいてコンテンツ推薦情報を生成するコンテンツ推薦情報生成部と、
を有する
コンテンツ処理装置。
【請求項２】
前記他の電子機器は、自身と同機能を有する電子機器である請求項１に記載のコンテンツ処理装置。
【請求項３】
前記コンテンツ処理情報集計部は、前記コンテンツ処理情報受信部で受信するコンテンツ処理情報を、そのコンテンツ処理情報を送信する電子機器に応じて重み付け集計する重付集計手段を有する請求項１又は２に記載のコンテンツ処理装置。
【請求項４】
前記コンテンツ推薦情報生成部は、前記コンテンツ処理情報受信部で受信するコンテンツ処理情報を、そのコンテンツ処理情報を送信する電子機器に応じて重み付け処理する重付処理手段を有する請求項１又は２に記載のコンテンツ処理装置。
【請求項５】
前記コンテンツ処理情報受信部は、コンテンツ処理情報を受信する他の電子機器として、所定の電子機器のみを選択して受信し、それ以外の電子機器からのコンテンツ処理情報を受信しない電子機器選択手段を有する請求項１から４のいずれか一に記載のコンテンツ処理装置。
【請求項６】
前記コンテンツ処理情報受信部は、コンテンツ処理情報を所定の時間のみ受信し、それ以外の時間はコンテンツ処理情報を受信しない時間選択手段を有する請求項１から４のいずれか一に記載のコンテンツ処理装置。
【請求項７】
コンテンツ処理装置と、集計装置と、からなるコンテンツ処理システムであって、
前記コンテンツ処理装置は、
コンテンツの処理を行うための処理部と、
前記処理部で処理されたコンテンツのコンテンツ識別情報と、前記処理部での処理を識別する処理識別情報とを関連付けた情報であるコンテンツ処理情報を保持するコンテンツ処理情報保持部と、
前記コンテンツ処理情報保持部に保持されているコンテンツ処理情報を前記集計装置に送信するコンテンツ処理情報送信部と、
前記集計装置からコンテンツ処理情報の集計結果情報を受信する集計結果情報受信部と、
前記集計結果情報受信部で受信した集計結果に基づいてコンテンツ推薦情報を生成するコンテンツ推薦情報生成部と、
を有し、
前記集計装置は、
前記コンテンツ処理装置のコンテンツ処理情報送信部から送信されたコンテンツ処理情報を受信するコンテンツ処理情報受信部と、
前記コンテンツ処理情報受信部で受信したコンテンツ処理情報を集計して、集計結果情報を生成する集計結果情報生成部と、
前記集計結果情報生成部が生成した集計結果情報を前記コンテンツ処理装置に送信する集計結果情報送信部と、
を有する
コンテンツ処理システム。
【請求項８】
前記コンテンツ推薦情報は、コンテンツの推薦の度合いの目安である推薦強度を示す推薦強度情報を含み、推薦強度情報は、コンテンツごとのコンテンツ処理数に基づいて決定される請求項１から６のいずれか一に記載のコンテンツ処理装置。
【請求項９】
前記推薦強度情報は、前記処理識別情報に応じた処理ごとに重み付けを行った重み付けコンテンツ処理数に基づいて生成される請求項８に記載のコンテンツ処理装置。
【請求項１０】
コンテンツ推薦情報を利用するコンテンツ推薦情報利用部を有し、
前記コンテンツ推薦情報生成部は、コンテンツ推薦情報を利用すべきコンテンツ処理装置のコンテンツ処理情報を他のコンテンツ処理装置のコンテンツ処理情報と異なる重み付けを行って前記コンテンツ推薦情報を生成する請求項１から６のいずれか一に記載のコンテンツ処理装置。
【請求項１１】
前記処理識別情報で識別される処理は、コンテンツの取得の予約、コンテンツの取得、コンテンツの保持、コンテンツの利用、コンテンツの消去、コンテンツの購入、コンテンツの譲渡、コンテンツの貸し渡し、コンテンツの評価、コンテンツの一部再生、コンテンツの再生中録画、コンテンツの録画中再生、コンテンツのＨＤＤ録画、コンテンツのＤＶＤ録画、コンテンツのダビング、携帯端末へのコンテンツの移動、コンテンツの早送り、コンテンツの早送り再生、コンテンツの巻き戻し、コンテンツの巻き戻し再生、コンテンツのスロー再生、コンテンツの一旦停止、コンテンツのコマ送り再生、コンテンツのランダム再生、コンテンツのプログラム順以外の順番での再生、所定時間内のコンテンツの再生、コンテンツとコンテンツ処理装置の識別情報とを関連付けた処理、所定の場所でのコンテンツの取得、所定の場所でのコンテンツの再生、コンテンツ推薦情報に基づくコンテンツの再生、主画面での再生、子画面での再生のいずれか一又は二以上の組み合わせからなる処理である請求項１から６のいずれか一に記載のコンテンツ処理装置。
【請求項１２】
前記コンテンツ推薦情報生成部が生成したコンテンツ推薦情報を加工するコンテンツ推薦情報加工部をさらに有する請求項１から６のいずれか一に記載のコンテンツ処理装置。
【請求項１３】
前記コンテンツ推薦情報生成部が生成したコンテンツ推薦情報又は、前記コンテンツ推薦情報加工部が加工したコンテンツ推薦情報を送信するコンテンツ推薦情報送信部をさらに有する請求項１２に記載のコンテンツ処理装置。
【請求項１４】
コンテンツの処理を行うための処理部と、
前記処理部で処理されたコンテンツのコンテンツ識別情報と、前記処理部での処理を識別する処理識別情報とを関連付けた情報であるコンテンツ処理情報を保持するコンテンツ処理情報保持部と、
前記コンテンツ処理情報保持部に保持されているコンテンツ処理情報を他の電子機器に送信するコンテンツ処理情報送信部と、
を有する
コンテンツ処理装置。
【請求項１５】
他の電子機器のコンテンツ処理情報送信部から送信されたコンテンツ処理情報を受信するコンテンツ処理情報受信部と、
前記コンテンツ処理情報受信部で受信したコンテンツ処理情報を集計するコンテンツ処理情報集計部と、
前記コンテンツ処理集計情報集計部が集計したコンテンツ処理集計情報に基づいてコンテンツ推薦情報を生成するコンテンツ推薦情報生成部と、
を有する
コンテンツ処理装置。
【請求項１６】
コンテンツの処理を行うための処理ステップと、
処理ステップにて処理されたコンテンツのコンテンツ識別情報と、処理ステップでの処理を識別する処理識別情報とを関連付けた情報であるコンテンツ処理情報を他の電子機器に送信するコンテンツ処理情報送信ステップと、
他の電子機器から送信されたコンテンツ処理情報を受信するコンテンツ処理情報受信ステップと、
コンテンツ処理情報受信ステップにて受信したコンテンツ処理情報を集計するコンテンツ処理情報集計ステップと、
コンテンツ処理情報集計ステップにて集計したコンテンツ処理集計情報に基づいてコンテンツ推薦情報を生成するコンテンツ推薦情報生成ステップと、
を有するコンテンツ処理方法。
【請求項１７】
コンテンツ処理装置と、集計装置と、からなるコンテンツ処理システムによるコンテンツ処理方法であって、
前記コンテンツ処理装置によるコンテンツ処理方法は、
コンテンツの処理を行うための処理ステップと、
処理ステップにて処理されたコンテンツのコンテンツ識別情報と、処理ステップでの処理を識別する処理識別情報とを関連付けた情報であるコンテンツ処理情報を集計装置に送信するコンテンツ処理情報送信ステップと、
集計装置からコンテンツ処理情報の集計結果情報を受信する集計結果情報受信ステップ  と、
集計結果情報受信ステップにて受信した集計結果に基づいてコンテンツ推薦情報を生成するコンテンツ推薦情報生成ステップと、を有し
前記集計装置によるコンテンツ処理方法は、
コンテンツ処理装置のコンテンツ処理情報送信ステップにて送信されたコンテンツ処理情報を受信するコンテンツ処理情報受信ステップと、
コンテンツ処理情報受信ステップにて受信したコンテンツ処理情報を集計して、集計結果情報を生成する集計結果情報生成ステップと、
集計結果情報生成ステップにて生成した集計結果情報をコンテンツ処理装置に送信する集計結果情報送信ステップと、を有する
コンテンツ処理方法。
【発明の詳細な説明】
【技術分野】
【０００１】
本発明は、コンテンツ処理装置に関するものである。
【背景技術】
【０００２】
従来、多数の番組から視聴・録画すべき番組を選択する際、好みのジャンルやキーワードなどを入力し検索を行う方法が行われてきた（特許文献１参照。）。
【特許文献１】特開２００３−１７９８２９号公報
【発明の開示】
【発明が解決しようとする課題】
【０００３】
しかしながら、検索の対象となる番組情報のデータベースに、入力したキーワードと合致する語が存在しない場合には、適切な番組選択は行われない。さらに、番組検索のために、利用者がキーワードの入力を行わなければならないとすると煩雑である。
【課題を解決するための手段】
【０００４】
本発明は、かかる実情に鑑み、コンテンツの処理を識別する処理識別情報と、処理されたコンテンツの識別情報とを関連付けたコンテンツ処理情報を他の電子機器に送信し、代わりに他の電子機器から送信されたコンテンツ処理情報を受信して集計したコンテンツ処理集計情報に基づいてコンテンツ推薦情報を生成することができるコンテンツ処理装置を提案する。また、受信するコンテンツ処理情報を、そのコンテンツ処理情報を送信する電子機器に応じて重み付けて集計、推薦等する。
【０００５】
さらに、コンテンツ処理情報を受信する他の電子機器として、所定の電子機器のみを選択して受信し、それ以外の電子機器からのコンテンツ処理情報を受信しないとすることや、コンテンツ処理情報を所定の時間のみ受信し、それ以外の時間はコンテンツ処理情報を受信しないとすることもできる。
【発明の効果】
【０００６】
以上、説明したように本件発明のいずれか一又は二以上の発明に係るコンテンツ処理装置は、単一の電子機器において各コンテンツに対して行われた処理についてのコンテンツ処理情報を集計する場合には、特定の利用者の趣味、嗜好に合致するコンテンツを推薦することが可能となる。一方、複数の電子機器からのコンテンツ処理情報を集計する場合には、多くの人に人気のあるコンテンツ等を認識し、コンテンツの推薦に活用することができる。
【０００７】
また、受信するコンテンツ処理情報を、そのコンテンツ処理情報を送信する電子機器に応じて重み付け集計等する場合には、自分と趣味、嗜好が共通する利用者の電子機器に対して高い重み付けを行うことで、より適切な集計が行われることが期待できる。また、重み付けの係数をマイナスの値とすれば、推薦すべきでないと判断されるコンテンツの推薦度合いを低下させることもできる。
【０００８】
一方、コンテンツ処理情報の送信元の電子機器や、受信時間に制限を設ける場合には、コンテンツ処理装置の処理負荷を軽減させることができる。このとき、知人や、属性が共通する人のコンテンツ処理情報のみ受信すれば、コンテンツ推薦情報の精度を維持することができる。また、利用者自身がコンテンツを視聴しているのと同じ時間帯に同様にコンテンツを視聴している電子機器の利用者は、ライフサイクルや、趣味・嗜好に共通性がある可能性が高いため、これらのコンテンツ処理情報を受信できれば、より的確なコンテンツ推薦情報を生成することができ有益である。
【発明を実施するための最良の形態】
【０００９】
以下に、各発明を実施するための最良の形態を説明する。なお、本発明はこれら実施の形態に何ら限定されるものではなく、その要旨を逸脱しない範囲において、種々なる態様で実施しうる。
【００１０】
実施形態１は、主に請求項１、１４、１５、１６などについて説明する。
【００１１】
実施形態２は、主に請求項２などについて説明する。
【００１２】
実施形態３は、主に請求項３などについて説明する。
【００１３】
実施形態４は、主に請求項４などについて説明する。
【００１４】
実施形態５は、主に請求項５などについて説明する。
【００１５】
実施形態６は、主に請求項６などについて説明する。
【００１６】
実施形態７は、主に請求項７、１７などについて説明する。
【００１７】
実施形態８は、主に請求項８などについて説明する。
【００１８】
実施形態９は、主に請求項９などについて説明する。
【００１９】
実施形態１０は、主に請求項１０などについて説明する。
【００２０】
実施形態１１は、主に請求項１１などについて説明する。
【００２１】
実施形態１２は、主に請求項１２などについて説明する。
【００２２】
実施形態１３は、主に請求項１３などについて説明する。
【００２３】
<<実施形態１>>
【００２４】
<実施形態１：概要>
【００２５】
実施形態１について説明する。本実施形態は、コンテンツの処理を識別する処理識別情報と、処理されたコンテンツの識別情報とを関連付けたコンテンツ処理情報を他の電子機器に送信し、代わりに他の電子機器から送信されたコンテンツ処理情報を受信して集計したコンテンツ処理集計情報に基づいてコンテンツ推薦情報を生成することができるコンテンツ処理装置である。
【００２６】
図１は、本実施形態の概念の一例を示すものである。本実施形態のコンテンツ処理装置は、放送される番組の取得（受信）、再生、録画、蓄積、録画予約などが可能な装置を想定したものであり、テレビなどに付随した装置などが想定される。
【００２７】
まず、コンテンツ処理装置において、コンテンツの処理を行い、そのコンテンツの識別情報とそのコンテンツに対する処理を識別する処理識別情報とを関連付けたコンテンツ処理情報を他の電子機器に対して送信する（１）。ここでは一例として、スポーツ番組のコンテンツ識別情報を「７０」、このコンテンツに対して行った再生処理の処理識別情報「０１０１」と示し、電子機器（ａ）、（ｂ）に対して送信する場面を示した。
【００２８】
一方、電子機器（ａ）、（ｂ）においても、それぞれコンテンツ処理情報を他の電子機器に対して送信するため、コンテンツ処理装置ではこれらコンテンツ処理情報を受信する（２）。コンテンツ処理装置では、受信したコンテンツ処理情報を集計し、コンテンツ処理集計情報を得る（３）。ここで、電子機器（ａ）、（ｂ）ではともに、映画のコンテンツ（コンテンツ識別情報は「２０」）が録画（処理識別情報は「０１３１」）されているとのコンテンツ処理情報が送信されており、２票の集計数を獲得する。
【００２９】
最後に、コンテンツ処理集計情報に基づいてコンテンツ推薦情報を生成する（４）。ここでは、集計数の多い映画のコンテンツが推薦すべきコンテンツと判定され、その旨を示すコンテンツ推薦情報を生成されることが想定される。コンテンツ処理装置の利用者は推薦されている映画のコンテンツを試聴することが可能となる。
【００３０】
<実施形態１：構成>  本実施形態での機能ブロックの一例を図２に示した。
【００３１】
図２に示す本実施形態の「コンテンツ処理装置」（０２００）は、「処理部」（０２０１）と、「コンテンツ処理情報保持部」（０２０２）と、「コンテンツ処理情報送信部」（０２０３）と、「コンテンツ処理情報受信部」（０２０４）と、「コンテンツ処理情報集計部」（０２０５）と、「コンテンツ推薦情報生成部」（０２０６）とからなる。
【００３２】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００３３】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００３４】
「コンテンツ処理装置」（０２００）は、コンテンツの処理を行うことができる装置である。コンテンツの取得（受信）、再生、録画、蓄積、録画予約などが可能な装置を想定したものであり、テレビなどに付随した装置であってもよい。
【００３５】
「処理部」（０２０１）は、コンテンツの処理を行うための処理をする。「コンテンツ」は、放送局などから放送される番組や、インターネットを介してブロードバンド配信局から配信される情報サービスなどのことである。コンテンツの処理には、コンテンツの取得（受信）、再生（部分的再生の場合もある）、録画、蓄積（ＨＤＤに録画済のコンテンツをＤＶＤなどの可搬型媒体に書き込むこと）、録画予約、コンテンツの消去などが該当する。また、利用者からのコンテンツ内容（感想）のフィードバックが含まれるとしてもよい。
【００３６】
これらの処理は、コンテンツ処理識別情報にて識別することができる（図１の例では、再生は「０１０１」、録画は「０１３１」と示した。）。
【００３７】
「コンテンツ処理情報保持部」（０２０２）は、コンテンツ処理情報を保持する。「コンテンツ処理情報」は、前記処理部（０２０１）で処理されたコンテンツのコンテンツ識別情報と、前記処理部での処理を識別する処理識別情報とを関連付けた情報である。コンテンツごとに、コンテンツ処理装置によって行われた処理を識別する処理識別情報を有し、例えば、「スポーツ番組」のコンテンツ識別情報（「７０」）と、そのコンテンツに対して行われた再生処理を示す処理識別情報（「０１０１」）とを関連付けた情報がコンテンツ処理情報に該当する。ここで「コンテンツ識別情報」とは、コンテンツを識別することができる形式の情報であればいかなる形式の情報であってもよく、またほかの利用目的を有する情報を流用するものであっても良い。たとえば、番号、符号、数字などの羅列、番組のタイトル名や、そのコンテンツの開始時刻などの時刻情報、または、そのコンテンツと関連付けられているチャンネル番号、ならびにこれらの一、又は二以上の組み合わせからなる情報である。さらに、コンテンツの実体の一部をコンテンツ識別情報として利用するものであっても良い。たとえば、コンテンツの開始後１０秒間の信号、コンテンツの開始後１分目から１分１０秒までの信号、コンテンツ内の所定の時間に現れる信号の組み合わせなどである。
【００３８】
コンテンツ処理情報の処理識別情報は、時系列で履歴が保持されているとしてもよい。例えば、録画処理の後、再生して視聴し、さらに、別の媒体へと複製（ダビング）をした等の事象がコンテンツ処理情報から認識できる場合もある。
【００３９】
「コンテンツ処理情報送信部」（０２０３）は、コンテンツ処理情報保持部（０２０２）に保持されているコンテンツ処理情報を他の電子機器に送信する。送信は、一定時間ごとに自動的に行われるとしてもよいし、利用者からの送信命令などに応じて行われるとしてもよい。他の電子機器は、自身以外のコンテンツ処理装置や、集計装置などが該当する場合がある。集計装置については、実施形態７にて詳述する。なお、
【００４０】
「コンテンツ処理情報受信部」（０２０４）は、他の電子機器のコンテンツ処理情報送信部から送信されたコンテンツ処理情報を受信する。
【００４１】
「コンテンツ処理情報集計部」（０２０５）は、前記コンテンツ処理情報受信部（０２０４）で受信したコンテンツ処理情報を集計する。コンテンツ処理情報を集計してコンテンツ処理集計情報を得る。このとき、自身のコンテンツ処理情報をも集計するとしてもよい。コンテンツごとに、そのコンテンツに対して行われた処理、その実行回数、実行時間などを算出する。なお、コンテンツの処理情報の集計に際して、どのような処理情報を集計するかを利用者がまたは、自動的に選択できる機能を持っていると便利である。
【００４２】
また、コンテンツ処理情報の集計結果は、複数の電子機器から送信されるコンテンツ処理情報を集計したものでもよいし、一の電子機器から順次送信されたコンテンツ処理情報を集計したものでもよい。前者の場合は、複数人のコンテンツ処理情報から人気のあるコンテンツ等を認識することができ、一方後者の場合は、特定の利用者のコンテンツ処理情報からその特定人の趣味、嗜好に合致するコンテンツを把握できる。
【００４３】
「コンテンツ推薦情報生成部」（０２０６）は、前記コンテンツ処理情報集計部（０２０５）が集計したコンテンツ処理集計情報に基づいてコンテンツ推薦情報を生成する。このとき、自身のコンテンツ処理情報にも基づいてコンテンツ推薦情報を生成してもよい。「コンテンツ推薦情報」は、推薦すべきコンテンツに関する情報である。コンテンツ推薦情報は、コンテンツ処理集計情報に基づいて推薦すべきコンテンツのコンテンツ識別情報や、推薦する処理（永久保存版など）の処理識別情報などが特定できる。
【００４４】
コンテンツ推薦情報は、例えば、コンテンツに対して行われた処理の実行回数を、コンテンツ処理集計情報に基づいてカウントし、その累計が最も多いコンテンツを推薦するために生成する場合が想定される。このとき、１実行回数ごとに再生処理は１をカウントする一方、録画処理は２カウントする等の重み付けを行うとしてもよい。
【００４５】
なお、コンテンツ処理装置は、コンテンツ処理情報を他の電子機器に送信する処理のみを行う場合がある。コンテンツ処理情報を受信してコンテンツ推薦情報を生成する処理を行うことが、コンテンツ処理装置の処理負荷となることを防ぐためである。特にコンテンツ処理装置が携帯型の端末などの場合に有効である。また、コンテンツ処理装置は、他の電子機器から送信されたコンテンツ処理情報を受信するのみで、他の電子機器に自身のコンテンツ処理情報を送信しない場合がある。利用者が、視聴履歴などを含むコンテンツ処理情報の秘匿性を維持したい場合などに有効である。
【００４６】
<実施形態１：処理の流れ>
【００４７】
図３は、実施形態１での処理の流れの一例を示したものである。本実施形態のコンテンツ処理装置による動作方法は、以下に示すステップよりなる。
【００４８】
まずコンテンツの処理を行う（処理ステップ  Ｓ０３０１）。次に、処理ステップ（Ｓ０３０１）にて処理されたコンテンツのコンテンツ識別情報と、処理ステップ（Ｓ０３０１）での処理を識別する処理識別情報とを関連付けた情報であるコンテンツ処理情報を他の電子機器に送信する（コンテンツ処理情報送信ステップ  Ｓ０３０２）。
【００４９】
一方、他の電子機器から送信されたコンテンツ処理情報を受信する（コンテンツ処理情報受信ステップ  Ｓ０３０３）。続いて、コンテンツ処理情報受信ステップ（Ｓ０３０３）にて受信したコンテンツ処理情報を集計する（コンテンツ処理情報集計ステップ  Ｓ０３０４）。最後に、コンテンツ処理情報集計ステップ（Ｓ０３０４）にて集計したコンテンツ処理集計情報に基づいてコンテンツ推薦情報を生成する（コンテンツ推薦情報生成ステップ  Ｓ０３０５）。
【００５０】
以上の処理は、計算機に実行させるためのプログラムで実行することができ、また、このプログラムを計算機によって読み取り可能な記録媒体に記録することができる。（本明細書の全体を通して同様である。）
【００５１】
<実施形態１：効果>
【００５２】
本実施形態は、コンテンツの処理を識別する処理識別情報と、処理されたコンテンツの識別情報とを関連付けたコンテンツ処理情報を他の電子機器に送信し、代わりに他の電子機器から送信されたコンテンツ処理情報を受信して集計したコンテンツ処理集計情報に基づいてコンテンツ推薦情報を生成することができるコンテンツ処理装置である。単一の電子機器において各コンテンツに対して行われた処理についてのコンテンツ処理情報を集計する場合には、特定の利用者の趣味、嗜好に合致するコンテンツを推薦することが可能となる。一方、複数の電子機器からのコンテンツ処理情報を集計する場合には、多くの人に人気のあるコンテンツ等を認識し、コンテンツの推薦に活用することができる。
【００５３】
<<実施形態２>>
【００５４】
<実施形態２：概要>
【００５５】
実施形態２について説明する。本実施形態は、他の電子機器が自身と同機能を有する電子機器であることに特徴を有するコンテンツ処理装置である。
【００５６】
<実施形態２：構成>  本実施形態での機能ブロックはすでに図２に示したものと同様である。
【００５７】
図２に示す「コンテンツ処理装置」（０２００）は、「処理部」（０２０１）と、「コンテンツ処理情報保持部」（０２０２）と、「コンテンツ処理情報送信部」（０２０３）と、「コンテンツ処理情報受信部」（０２０４）と、「コンテンツ処理情報集計部」（０２０５）と、「コンテンツ推薦情報生成部」（０２０６）とからなる。
【００５８】
「コンテンツ処理情報送信部」（０２０３）は、コンテンツ処理情報保持部（０２０２）に保持されているコンテンツ処理情報を他の電子機器に送信し、「コンテンツ処理情報受信部」（０２０４）は、他の電子機器のコンテンツ処理情報送信部から送信されたコンテンツ処理情報を受信する。ここで、前記他の電子機器は、自身と同機能を有する電子機器である。
【００５９】
同機能とは、処理識別情報において識別できる処理のレベルが同一性を有することをいう。つまり、再生処理の有無を識別できる電子機器から送信されるコンテンツ処理情報は、同じく再生処理の有無を識別できる電子機器によって受信される。コンテンツ処理情報の送受信を行う電子機器同士が同機能を有することで、情報を共有できる。
【００６０】
ただし、同機能は厳密な同一性を要求するものではない。電子機器はその機種や、製造元、製造年代の相違によって、送受信できるコンテンツ処理情報に差異が生じる場合がある。例えば、初期の機種において処理識別情報からは、コンテンツの再生処理については再生処理が実行されたことしか判別できないとしても、後継機種においては、再生実行時間、部分的に再生が実行されたかどうか、再生実行中に他の処理（録画処理など）が並行して行われたかどうか、コンテンツ推薦情報に基づくコンテンツの再生であるかどうかなどが判別できる場合がある。このような場合でも、初期の機種と後継機種は同機能を有するとし、相互に補完しながら情報を共有できることが望ましい。なお、異機種間で処理情報のやり取りをする際には、その処理情報のやり取り、集計に際して、相手方から取得すべき処理情報を受け手側の装置が選択できるようにすると便利である。また逆に、受けて側が送り手側が送付すべき処理情報を選択できるようになっていても良い。異なる機種間での処理情報の整合を保つためであり、また、利用者が処理情報を任意に選択する場合には、同機種間でも処理情報の整合を保つ必要が出てくるからである。
【００６１】
その他各部の処理は実施形態１と同様である。
【００６２】
<実施形態２：効果>
【００６３】
本実施形態は、他の電子機器が自身と同機能を有する電子機器であることに特徴を有するコンテンツ処理装置である。コンテンツ処理情報の送受信を行う電子機器同士が同機能を有することで、情報を共有できるという効果を有する。
【００６４】
<<実施形態３>>
【００６５】
<実施形態３：概要>
【００６６】
実施形態３について説明する。本実施形態は、コンテンツ処理情報集計部において、受信するコンテンツ処理情報を、そのコンテンツ処理情報を送信する電子機器に応じて重み付け集計することに特徴を有するコンテンツ処理装置である。
【００６７】
<実施形態３：構成>  本実施形態での機能ブロックの一例を図４に示す。
【００６８】
図４に示す本実施形態の「コンテンツ処理装置」（０４００）は、「処理部」（０４０１）と、「コンテンツ処理情報保持部」（０４０２）と、「コンテンツ処理情報送信部」（０４０３）と、「コンテンツ処理情報受信部」（０４０４）と、「コンテンツ処理情報集計部」（０４０５）と、「コンテンツ推薦情報生成部」（０４０６）とからなり、さらに、コンテンツ処理情報集計部（０４０５）は「重付集計手段」（０４０７）を有する。
【００６９】
「重付集計手段」（０４０７）は、前記コンテンツ処理情報受信部（０４０４）で受信するコンテンツ処理情報を、そのコンテンツ処理情報を送信する電子機器に応じて重み付け集計する。特定の電子機器から送信されたコンテンツ処理情報に対しては処理数などに対して重み付けを行う。
【００７０】
図５は、本実施形態における重み付けの一例を示した図である。図には、電子機器（ａ）、（ｂ）、（ｃ）から送信されたコンテンツ処理情報を集計して得られたコンテンツ処理集計情報を得る流れを示した。今、例えば、電子機器（ａ）については重み付けの係数を３とし、その他の電子機器の重み付けの係数を１としたとする。
【００７１】
コンテンツ処理情報をコンテンツ識別情報で識別されるコンテンツごとに集計する場合、スポーツ番組のコンテンツに対する処理が行われた電子機器は、電子機器（ａ）のみであるが、得票数１に対して重み付け係数３を掛け合わせて集計数は３となる。一方、映画のコンテンツに対しては、電子機器（ｂ）による予約の処理と、電子機器（ｃ）による録画の処理が行われており得票数は２であるが、重み付けの係数はいずれの電子機器も１であるため、重み付け係数を掛け合わせた集計数も２のままとなる。このとき、集計数の大きい方のコンテンツであるスポーツ番組のコンテンツのみを推薦するためのコンテンツ推薦情報を生成するとしてもよい。
【００７２】
重み付け係数は、利用者が設定・変更できるとしてもよい。自分と趣味、嗜好が共通するコンテンツ処理情報を受信した場合に、その送信元の電子機器に対して高い重み付け係数を設定できる。また、重み付け係数は、プラスの値だけでなく、マイナスの値をとる場合もある。例えば、自分と趣味、嗜好が合致しないコンテンツ処理情報を受信した場合に、その送信元の電子機器に対して重み付け係数をマイナスの値とし、推薦度合いを低下させるとしてもよい。
【００７３】
また、他の電子機器から受信したコンテンツ処理情報のコンテンツ識別情報と、利用者が再生等するコンテンツのコンテンツ識別情報の類似度から、重み付けを設定する場合もある。コンテンツ識別情報の類似度は、コンテンツのジャンル、内容などから判断することができる。つまり、類似性の高いコンテンツを利用している電子機器に対しては、高い重み付け係数を設定し、逆に類似性の低いコンテンツを利用している電子機器に対しては、低い重み付け係数を設定する等の設定方法が想定される。具体的には、他の電子機器のコンテンツ利用数をＡ、利用者のコンテンツ利用数をＢ、重複するコンテンツ利用数をＣとした場合に、算出できる重複するコンテンツの割合（Ｃ／（Ａ＋Ｂ−Ｃ））などの値を用いるとしてもよい。なお、電子機器の識別情報と、利用者が結び付けられる場合には、電子機器の種類によらず、その利用者が所持している電子機器は全て同じ重み付け係数を設定するようにしてもよい。
【００７４】
<実施形態３：処理の流れ>
【００７５】
図６は、実施形態３での処理の流れの一例を示したものである。本実施形態のコンテンツ処理装置による動作方法は、以下に示すステップよりなる。
【００７６】
まずコンテンツの処理を行う（処理ステップ  Ｓ０６０１）。次に、処理ステップ（Ｓ０６０１）にて処理されたコンテンツのコンテンツ識別情報と、処理ステップ（Ｓ０６０１）での処理を識別する処理識別情報とを関連付けた情報であるコンテンツ処理情報を他の電子機器に送信する（コンテンツ処理情報送信ステップ  Ｓ０６０２）。
【００７７】
一方、他の電子機器から送信されたコンテンツ処理情報を受信する（コンテンツ処理情報受信ステップ  Ｓ０６０３）。続いて、コンテンツ処理情報受信ステップ（Ｓ０６０３）にて受信したコンテンツ処理情報を、そのコンテンツ処理情報を送信する電子機器に応じて重み付け集計する（コンテンツ処理情報集計ステップ  Ｓ０６０４）。最後に、コンテンツ処理情報集計ステップ（Ｓ０６０４）にて集計したコンテンツ処理集計情報に基づいてコンテンツ推薦情報を生成する（コンテンツ推薦情報生成ステップ  Ｓ０６０５）。
【００７８】
その他各部の処理は実施形態１、２と同様である。
【００７９】
<実施形態３：効果>
【００８０】
本実施形態は、コンテンツ処理情報集計部において、受信するコンテンツ処理情報を、そのコンテンツ処理情報を送信する電子機器に応じて重み付け集計することに特徴を有するコンテンツ処理装置である。自分と趣味、嗜好が共通するコンテンツ処理情報を受信した場合に、その送信元の電子機器に対して高い重み付けを行うことで、より適切な集計が行われることが期待できる。また、重み付けの係数をマイナスの値とすれば、推薦すべきでないと判断されるコンテンツの推薦度合いを低下させることもできる。
【００８１】
<<実施形態４>>
【００８２】
<実施形態４：概要>
【００８３】
実施形態４について説明する。本実施形態は、コンテンツ推薦情報生成部において、受信するコンテンツ処理情報を、そのコンテンツ処理情報を送信する電子機器に応じて重み付け処理することに特徴を有するコンテンツ処理装置である。
【００８４】
<実施形態４：構成>  本実施形態での機能ブロックの一例を図７に示す。
【００８５】
図７に示す本実施形態の「コンテンツ処理装置」（０７００）は、「処理部」（０７０１）と、「コンテンツ処理情報保持部」（０７０２）と、「コンテンツ処理情報送信部」（０７０３）と、「コンテンツ処理情報受信部」（０７０４）と、「コンテンツ処理情報集計部」（０７０５）と、「コンテンツ推薦情報生成部」（０７０６）とからなり、さらに、コンテンツ推薦情報生成部（０７０６）は「重付処理手段」（０７０７）を有する。
【００８６】
「重付処理手段」（０７０７）は、前記コンテンツ処理情報受信部（０７０４）で受信するコンテンツ処理情報を、そのコンテンツ処理情報を送信する電子機器に応じて重み付け処理する。特定の電子機器から送信されたコンテンツ処理情報に対しては処理数などに対して重み付けを行う。
【００８７】
図８は、本実施形態における重み付けの一例を示した図である。図には、電子機器（ａ）、（ｂ）、（ｃ）から送信されたコンテンツ処理情報を集計して得られたコンテンツ処理集計情報に基づいてコンテンツ推薦情報を得る流れを示した。今、例えば、電子機器（ａ）については重み付けの係数を３とし、その他の電子機器の重み付けの係数を１としたとする。
【００８８】
コンテンツ処理情報をコンテンツ識別情報で識別されるコンテンツごとに集計する場合、スポーツ番組のコンテンツに対する処理が行われた電子機器は、電子機器（ａ）のみであり、集計数は１となる。一方、映画のコンテンツに対しては、電子機器（ｂ）による予約の処理と、電子機器（ｃ）による録画の処理が行われており、集計数は２となる。
【００８９】
次に、これらコンテンツ処理集計装置に基づいてコンテンツ推薦情報を生成する場合に、先の重み付け係数を掛け合わせて集計数の調整を行う。ここで、電子機器（ａ）ではスポーツ番組のコンテンツに対する処理が行われたので、集計数１に対して重み付け係数３を掛け合わせて推薦度は３と算出される。一方、電子機器（ｂ）、（ｃ）では、いずれも映画のコンテンツに対する処理が行われており、集計数は２である。これに対して、重み付けの係数はいずれの電子機器も１であるため、重み付け係数を掛け合わせて推薦度も２のままとなる。このとき、推薦度の大きい方のコンテンツであるスポーツ番組のコンテンツのみを推薦するためのコンテンツ推薦情報を生成するとしてもよい。
【００９０】
その他各部の処理は実施形態１、２と同様である。
【００９１】
<実施形態４：処理の流れ>
【００９２】
図９は、実施形態４での処理の流れの一例を示したものである。本実施形態のコンテンツ処理装置による動作方法は、以下に示すステップよりなる。
【００９３】
まずコンテンツの処理を行う（処理ステップ  Ｓ０９０１）。次に、処理ステップ（Ｓ０９０１）にて処理されたコンテンツのコンテンツ識別情報と、処理ステップ（Ｓ０９０１）での処理を識別する処理識別情報とを関連付けた情報であるコンテンツ処理情報を他の電子機器に送信する（コンテンツ処理情報送信ステップ  Ｓ０９０２）。
【００９４】
一方、他の電子機器から送信されたコンテンツ処理情報を受信する（コンテンツ処理情報受信ステップ  Ｓ０９０３）。続いて、コンテンツ処理情報受信ステップ（Ｓ０９０３）にて受信したコンテンツ処理情報を集計する（コンテンツ処理情報集計ステップ  Ｓ０９０４）。最後に、コンテンツ処理情報受信ステップ（Ｓ０９０３）にて受信したコンテンツ処理情報を、そのコンテンツ処理情報を送信する電子機器に応じて重み付け処理し、コンテンツ推薦情報を生成する（コンテンツ推薦情報生成ステップ  Ｓ０９０５）。
【００９５】
<実施形態４：効果>
【００９６】
本実施形態は、コンテンツ処理情報集計部において、受信するコンテンツ処理情報を、そのコンテンツ処理情報を送信する電子機器に応じて重み付け集計することに特徴を有するコンテンツ処理装置である。自分と趣味、嗜好が共通するコンテンツ処理情報を受信した場合に、その送信元の電子機器に対して高い重み付けを行うことで、より適切な推薦が行われることが期待できる。
【００９７】
<<実施形態５>>
【００９８】
<実施形態５：概要>
【００９９】
実施形態５について説明する。本実施形態は、コンテンツ処理情報を受信する他の電子機器として、所定の電子機器のみを選択して受信し、それ以外の電子機器からのコンテンツ処理情報を受信しないことに特徴を有するコンテンツ処理装置である。
【０１００】
<実施形態５：構成>  本実施形態での機能ブロックの一例を図１０に示す。
【０１０１】
図１０に示す本実施形態の「コンテンツ処理装置」（１０００）は、「処理部」（１００１）と、「コンテンツ処理情報保持部」（１００２）と、「コンテンツ処理情報送信部」（１００３）と、「コンテンツ処理情報受信部」（１００４）と、「コンテンツ処理情報集計部」（１００５）と、「コンテンツ推薦情報生成部」（１００６）とからなり、さらに、コンテンツ処理情報受信部（１００４）は「電子機器選択手段」（１００７）を有する。
【０１０２】
「電子機器選択手段」（１００７）は、コンテンツ処理情報を受信する他の電子機器として、所定の電子機器のみを選択して受信し、それ以外の電子機器からのコンテンツ処理情報を受信しない。コンテンツ処理情報受信部において、コンテンツ処理情報を受信する際に、送信元の電子機器は受信が許容される所定の電子機器であるかどうかの判断が行われる。
【０１０３】
所定の電子機器は、電子機器の利用者の属性（性別、年齢、住所）などに基づいて、コンテンツ処理装置の利用者が選別できるとしてもよい。例えば、関東地方在住の利用者の電子機器からのコンテンツ処理情報のみを受信するように設定する場合などが想定される。また、所定の電子機器は、電子機器を識別するための識別情報などを特定して利用者が設定できるとしてもよい。例えば、知人の電子機器からのコンテンツ処理情報のみを受信するように設定する場合などが想定される。
【０１０４】
その他各部の処理は実施形態１から４と同様である。
【０１０５】
<実施形態５：処理の流れ>
【０１０６】
図１１は、実施形態５での処理の流れの一例を示したものである。本実施形態のコンテンツ処理装置による動作方法は、以下に示すステップよりなる。
【０１０７】
まずコンテンツの処理を行う（処理ステップ  Ｓ１１０１）。次に、処理ステップ（Ｓ１１０１）にて処理されたコンテンツのコンテンツ識別情報と、処理ステップ（Ｓ１１０１）での処理を識別する処理識別情報とを関連付けた情報であるコンテンツ処理情報を他の電子機器に送信する（コンテンツ処理情報送信ステップ  Ｓ１１０２）。
【０１０８】
一方、送信されたコンテンツ処理情報を受信する際に、送信元の電子機器が所定の電子機器かどうか判断する（電子機器判断ステップ  Ｓ１１０３）。電子機器判断ステップ（Ｓ１１０３）における判断結果が、所定の電子機器であるとの判断結果の場合には、コンテンツ処理情報を受信する（コンテンツ処理情報受信ステップ  Ｓ１１０４）。また、電子機器判断ステップ（Ｓ１１０３）における判断結果が、所定の電子機器でないとの判断結果の場合には、処理を終了するとしてもよい。
【０１０９】
続いて、コンテンツ処理情報受信ステップ（Ｓ１１０４）にて受信したコンテンツ処理情報を集計する（コンテンツ処理情報集計ステップ  Ｓ１１０５）。最後に、コンテンツ処理情報集計ステップ（Ｓ１１０５）にて集計したコンテンツ処理集計情報に基づいてコンテンツ推薦情報を生成する（コンテンツ推薦情報生成ステップ  Ｓ１１０６）。
【０１１０】
<実施形態５：効果>
【０１１１】
本実施形態は、コンテンツ処理情報を受信する他の電子機器として、所定の電子機器のみを選択して受信し、それ以外の電子機器からのコンテンツ処理情報を受信しないことに特徴を有するコンテンツ処理装置である。受信するコンテンツ処理情報を、所定の電子機器に特定できることで、処理の負荷を軽減させることができる。一方で、知人や、属性が共通するなどの事象に応じて利用者が自由に所定の電子機器を特定できれば、コンテンツ推薦情報の精度を保持することができる。
【０１１２】
<<実施形態６>>
【０１１３】
<実施形態６：概要>
【０１１４】
実施形態６について説明する。本実施形態は、コンテンツ処理情報を所定の時間のみ受信し、それ以外の時間はコンテンツ処理情報を受信しないことに特徴を有するコンテンツ処理装置である。
【０１１５】
<実施形態６：構成>  本実施形態での機能ブロックの一例を図１２に示す。
【０１１６】
図１２に示す本実施形態の「コンテンツ処理装置」（１２００）は、「処理部」（１２０１）と、「コンテンツ処理情報保持部」（１２０２）と、「コンテンツ処理情報送信部」（１２０３）と、「コンテンツ処理情報受信部」（１２０４）と、「コンテンツ処理情報集計部」（１２０５）と、「コンテンツ推薦情報生成部」（１２０６）とからなり、さらに、コンテンツ処理情報受信部（１２０４）は「時間選択手段」（１２０７）を有する。
【０１１７】
「時間選択手段」（１２０７）は、コンテンツ処理情報を所定の時間のみ受信し、それ以外の時間はコンテンツ処理情報を受信しない。コンテンツ処理情報受信部において、コンテンツ処理情報を受信する際に、現在所定の時間に該当するかどうかの判断が行われる。
【０１１８】
所定の時間には、コンテンツ処理情報を受信する時間が含まれる場合があり、利用者が自由に設定できるとしてもよい。例えば、深夜の１１時から3時の間は他の電子機器からのコンテンツ処理情報を受信できるなどのように設定する場合などが想定される。あるいは、コンテンツ処理装置が再生処理中の間などのような指定を行うとしてもよい。また、所定の時間として、コンテンツ処理情報に含まれるコンテンツの処理を行った時刻が含まれる場合もある。例えば、深夜の１１時から3時の間に再生処理が行われたコンテンツのコンテンツ処理情報を受信できるなどのように設定する場合などが想定される。
【０１１９】
その他各部の処理は実施形態１から４と同様である。
【０１２０】
<実施形態６：処理の流れ>
【０１２１】
図１３は、実施形態５での処理の流れの一例を示したものである。本実施形態のコンテンツ処理装置による動作方法は、以下に示すステップよりなる。
【０１２２】
まずコンテンツの処理を行う（処理ステップ  Ｓ１３０１）。次に、処理ステップ（Ｓ１３０１）にて処理されたコンテンツのコンテンツ識別情報と、処理ステップ（Ｓ１３０１）での処理を識別する処理識別情報とを関連付けた情報であるコンテンツ処理情報を他の電子機器に送信する（コンテンツ処理情報送信ステップ  Ｓ１３０２）。
【０１２３】
一方、送信されたコンテンツ処理情報を受信する際に、現在時刻が所定の時間内であるかどうか判断する（時間判断ステップ  Ｓ１３０３）。時間判断ステップ（Ｓ１３０３）における判断結果が、所定の時間内であるとの判断結果の場合には、コンテンツ処理情報を受信する（コンテンツ処理情報受信ステップ  Ｓ１３０４）。また、時間判断ステップ（Ｓ１３０３）における判断結果が、所定の時間内でないとの判断結果の場合には、処理を終了するとしてもよい。
【０１２４】
続いて、コンテンツ処理情報受信ステップ（Ｓ１３０４）にて受信したコンテンツ処理情報を集計する（コンテンツ処理情報集計ステップ  Ｓ１３０５）。最後に、コンテンツ処理情報集計ステップ（Ｓ１３０５）にて集計したコンテンツ処理集計情報に基づいてコンテンツ推薦情報を生成する（コンテンツ推薦情報生成ステップ  Ｓ１３０６）。
【０１２５】
<実施形態６：効果>
【０１２６】
本実施形態は、コンテンツ処理情報を所定の時間のみ受信し、それ以外の時間はコンテンツ処理情報を受信しないことに特徴を有するコンテンツ処理装置である。コンテンツ処理情報を受信する時間を特定できることで、回線が比較的空いている時間にまとめてコンテンツ処理情報を取得するようにして、処理の負荷を軽減させることができる。また、利用者自身がコンテンツを視聴しているのと同じ時間帯に同様にコンテンツを視聴している電子機器の利用者は、ライフサイクルや、趣味・嗜好に共通性がある可能性が高いため、これらのコンテンツ処理情報を受信できれば、より的確なコンテンツ推薦情報を生成することができる。
【０１２７】
<<実施形態７>>
【０１２８】
<実施形態７：概要>
【０１２９】
実施形態７について説明する。本実施形態は、コンテンツ処理情報を集計する集計装置と、集計結果情報を集計装置から受信し、受信した集計結果情報に基づいてコンテンツ推薦情報を生成するコンテンツ処理装置と、からなるコンテンツ処理システムである。
【０１３０】
<実施形態７：構成>  本実施形態での機能ブロックの一例を図１４に示す。
【０１３１】
図１４に示す本実施形態の「コンテンツ処理システム」（１４００）は、「コンテンツ処理装置」（１４１０）と、「集計装置」（１４２０）とからなる。「コンテンツ処理装置」（１４１０）は、「処理部」（１４１１）と、「コンテンツ処理情報保持部」（１４１２）と、「コンテンツ処理情報送信部」（１４１３）と、「集計結果情報受信部」（１４１４）と、「コンテンツ推薦情報生成部」（１４１５）とからなる。他方、「集計装置」（１４２０）は、「コンテンツ処理情報受信部」（１４２１）と、「集計結果情報生成部」（１４２２）と、「集計結果情報送信部」（１４２３）とからなる。
【０１３２】
まず、コンテンツ処理装置（１４１０）から説明する。
【０１３３】
「処理部」（１４１１）は、コンテンツの処理を行うための処理を行う。「コンテンツ処理情報保持部」（１４１２）は、コンテンツ処理情報を保持する。これらは、実施形態１と同様である。
【０１３４】
「コンテンツ処理情報送信部」（１４１３）は、前記コンテンツ処理情報保持部（１４１２）に保持されているコンテンツ処理情報を前記集計装置（１４２０）に送信する。送信先が集計装置であることがこれまでと異なる。
【０１３５】
「集計結果情報受信部」（１４１４）は、前記集計装置（１４２０）からコンテンツ処理情報の集計結果情報を受信する。「集計結果情報」は、コンテンツ処理情報の集計結果を含む情報であり、コンテンツ処理集計情報と同義である。集計結果情報は、コンテンツごとに関連付けられた処理識別情報で識別される各処理、その実行回数、実行時間などが該当する。
【０１３６】
また、集計結果情報は、複数のコンテンツ処理装置から送信されるコンテンツ処理情報が集計装置によって集計されたたものでもよいし、一のコンテンツ処理装置から順次送信されたコンテンツ処理情報を集計したものでもよい。前者の場合は、複数人のコンテンツ処理情報から人気のあるコンテンツ等を認識することができ、一方後者の場合は、特定の利用者のコンテンツ処理情報からその特定人の趣味、嗜好に合致するコンテンツを把握できる。
【０１３７】
「コンテンツ推薦情報生成部」（１４１５）は、前記集計結果情報受信部（１４１４）で受信した集計結果に基づいてコンテンツ推薦情報を生成する。このとき、自身のコンテンツ処理情報にも基づいてコンテンツ推薦情報を生成するとしてもよい。「コンテンツ推薦情報」は、推薦すべきコンテンツに関する情報である。コンテンツ推薦情報は、集計結果に基づいて推薦すべきコンテンツのコンテンツ識別情報や、推薦する処理（永久保存版など）の処理識別情報などが特定できる。
【０１３８】
コンテンツ推薦情報は、例えば、コンテンツに対して行われた処理の実行回数を、週結果に基づいてカウントし、その累計が最も多いコンテンツを推薦するために生成する場合が想定される。このとき、１実行回数ごとに再生処理は１をカウントする一方、録画処理は２カウントする等の重み付けを行うとしてもよい。
【０１３９】
次に、集計装置（１４２０）について説明する。
【０１４０】
「コンテンツ処理情報受信部」（１４２１）は、前記コンテンツ処理装置（１４１０）のコンテンツ処理情報送信部（１４１３）から送信されたコンテンツ処理情報を受信する。コンテンツ処理情報は、複数のコンテンツ処理装置から送信されたものでもよいし、一のコンテンツ処理装置から順次送信されたものでもよい。前者の場合は、複数人のコンテンツ処理情報から人気のあるコンテンツ等を認識することができ、一方後者の場合は、特定の利用者のコンテンツ処理情報からその特定人の趣味、嗜好に合致するコンテンツを把握できる。
【０１４１】
「集計結果情報生成部」（１４２２）は、前記コンテンツ処理情報受信部（１４２１）で受信したコンテンツ処理情報を集計して、集計結果情報を生成する。コンテンツ処理情報を集計する際に送信相手であるコンテンツ処理装置に応じて重み付けを行ってもよい。
【０１４２】
「集計結果情報送信部」（１４２３）は、前記集計結果情報生成部（１４２２）が生成した集計結果情報を前記コンテンツ処理装置に送信する。送信先は、コンテンツ処理装置や電子機器などが該当する。コンテンツ処理装置では、受信した集計結果に基づいて、コンテンツ推薦情報を生成し、推薦されたコンテンツに対して推薦された処理を行うことができる。このとき、録画等の処理が自動的に行われるとしてもよい。
【０１４３】
一方、利用者の所持する電子機器や携帯電話などを介してコンテンツ処理装置が集計結果を受信できるとしてもよい。このとき、集計結果を電子機器などで受信した際に、利用者が得票の多いコンテンツを視聴等すべきか判断し取捨選択できるとしてもよい。必要な部分の集計結果のみコンテンツ処理装置へ送信することで、不要なコンテンツが自動的に録画等されることを防ぐことができる。
【０１４４】
<実施形態７：処理の流れ>
【０１４５】
図１５は、実施形態７での処理の流れの一例を示したものである。本実施形態のコンテンツ処理装置と、集計装置による動作方法は、以下に示すステップよりなる。
【０１４６】
まず、コンテンツ処理装置では、コンテンツの処理を行う（処理ステップ  Ｓ１５０１）。次に、処理ステップ（Ｓ１５０１）にて処理されたコンテンツのコンテンツ識別情報と、処理ステップ（Ｓ１５０１）での処理を識別する処理識別情報とを関連付けた情報であるコンテンツ処理情報を集計装置に送信する（コンテンツ処理情報送信ステップ  Ｓ１５０２）。
【０１４７】
一方、集計装置においては、コンテンツ処理装置のコンテンツ処理情報送信ステップ（Ｓ１５０２）にて送信されたコンテンツ処理情報を受信する（コンテンツ処理情報受信ステップ  Ｓ１５０３）。続いて、コンテンツ処理情報受信ステップ（Ｓ１５０３）にて受信したコンテンツ処理情報を集計して、集計結果情報を生成する（集計結果情報生成ステップ  Ｓ１５０４）。さらに、集計結果情報生成ステップ（Ｓ１５０４）にて生成した集計結果情報をコンテンツ処理装置に送信する（集計結果情報送信ステップ  Ｓ１５０５）。
【０１４８】
他方、コンテンツ処理装置では、集計装置からコンテンツ処理情報の集計結果情報を受信する（集計結果情報受信ステップ  Ｓ１５０６）。最後に、集計結果情報受信ステップ（Ｓ１５０６）にて受信した集計結果に基づいてコンテンツ推薦情報を生成する（コンテンツ推薦情報生成ステップ  Ｓ１５０７）。
【０１４９】
<実施形態７：効果>
【０１５０】
本実施形態は、コンテンツ処理情報を集計する集計装置と、集計結果情報を集計装置から受信し、受信した集計結果情報に基づいてコンテンツ推薦情報を生成するコンテンツ処理装置と、からなるコンテンツ処理システムである。コンテンツ処理情報の集計をコンテンツ処理装置でなく集計装置が行うことから、コンテンツ処理情報の負担を軽減し、また相当数のコンテンツ処理情報の集計が可能となる点が有益である。
【０１５１】
<<実施形態８>>
【０１５２】
<実施形態８：概要>
【０１５３】
実施形態８について説明する。本実施形態は、コンテンツ推薦情報は、コンテンツごとのコンテンツ処理数に基づいて決定される推薦強度情報を含むことに特徴を有するコンテンツ処理装置である。
【０１５４】
<実施形態８：構成>  本実施形態での機能ブロックの一例は、図２に示したものと同様である。
【０１５５】
図２に示す「コンテンツ処理装置」（０２００）は、「処理部」（０２０１）と、「コンテンツ処理情報保持部」（０２０２）と、「コンテンツ処理情報送信部」（０２０３）と、「コンテンツ処理情報受信部」（０２０４）と、「コンテンツ処理情報集計部」（０２０５）と、「コンテンツ推薦情報生成部」（０２０６）とからなる。
【０１５６】
「コンテンツ推薦情報生成部」（０２０６）は、コンテンツ処理情報集計部（０２０５）が集計したコンテンツ処理集計情報に基づいてコンテンツ推薦情報を生成する。ここで、コンテンツ推薦情報には推薦強度情報を含む。「推薦強度情報」は、コンテンツの推薦の度合いの目安である推薦強度を示す情報であり、コンテンツごとのコンテンツ処理数に基づいて決定される。
【０１５７】
図１６は、本実施形態における推薦強度情報の一例を示した図である。例えば、コンテンツ処理集計情報を構成する各コンテンツ処理情報に基づいて、コンテンツに対して行われた処理の実行回数（コンテンツ処理数）をカウントし、得られた値を推薦強度情報とする場合などが該当する。具体的には、スポーツ番組のコンテンツに対しては再生処理が２回実行されているので推薦強度情報を２、映画のコンテンツに対しては予約、録画、再生の処理が各１回ずつ実行されているので推薦強度情報を３とすることができる。このとき、推薦強度情報が大きい方のコンテンツである映画のコンテンツのみを推薦するためのコンテンツ推薦情報を生成するとしてもよい。客観的にコンテンツの推薦を行うことができる。
【０１５８】
その他各部の処理は実施形態１から６と同様である。
【０１５９】
<実施形態８：効果>
【０１６０】
本実施形態は、コンテンツ推薦情報は、コンテンツごとのコンテンツ処理数に基づいて決定される推薦強度情報を含むことに特徴を有するコンテンツ処理装置である。これにより、公正かつ客観的な推薦が行われることが期待できる。またコンテンツ推薦情報の受信側においては、推薦強度情報から推薦の度合いを推測することで、コンテンツの選択の際に活用できる。
【０１６１】
<<実施形態９>>
【０１６２】
<実施形態９：概要>
【０１６３】
実施形態９について説明する。  本実施形態は、コンテンツ推薦情報は、処理識別情報に応じた処理ごとに重み付けを行った重み付けコンテンツ処理数に基づいて生成される推薦強度情報を含むことに特徴を有するコンテンツ処理装置である。
【０１６４】
<実施形態９：構成>  本実施形態での機能ブロックの一例は図２に示したものと同様である。
【０１６５】
図２に示す「コンテンツ処理装置」（０２００）は、「処理部」（０２０１）と、「コンテンツ処理情報保持部」（０２０２）と、「コンテンツ処理情報送信部」（０２０３）と、「コンテンツ処理情報受信部」（０２０４）と、「コンテンツ処理情報集計部」（０２０５）と、「コンテンツ推薦情報生成部」（０２０６）とからなる。
【０１６６】
「コンテンツ推薦情報生成部」（０２０６）は、コンテンツ処理情報集計部（０２０５）が集計したコンテンツ処理集計情報に基づいてコンテンツ推薦情報を生成する。ここで、コンテンツ推薦情報には推薦強度情報を含む。推薦強度情報は、前記処理識別情報に応じた処理ごとに重み付けを行った重み付けコンテンツ処理数に基づいて生成される。
【０１６７】
図１７は、本実施形態における推薦強度情報の一例を示した図である。例えば、コンテンツ処理集計情報を構成する各コンテンツ処理情報に基づいて、コンテンツに対して行われた処理の実行回数をカウントする際に、処理識別情報に応じた処理ごとに重み付けを行い、その重み付けコンテンツ処理数に基づいて生成された値を推薦強度情報とする場合などが該当する。
【０１６８】
例えば、再生処理については重み付けの係数を３とし、その他の処理については重み付けの係数を１とすると、スポーツ番組のコンテンツに対しては再生処理が２回実行されているので重み付け係数３を掛け合わせた推薦強度情報は６となる。一方、映画のコンテンツに対しては予約、録画、再生の処理が各１回ずつ実行されているので、再生処理について重み付け係数３を掛け合わせて得られた重み付けコンテンツ処理数３と、その他の予約、録画の処理について重み付け係数１を掛け合わせて得られた重み付けコンテンツ処理数２を合計し、推薦強度情報は５となる。このとき、推薦強度情報が大きい方のコンテンツであるスポーツ番組のコンテンツのみを推薦するためのコンテンツ推薦情報を生成するとしてもよい。
【０１６９】
重み付け係数は、利用者が設定・変更できるとしてもよい。また、重み付け係数は、プラスの値だけでなく、マイナスの値をとる場合もある。例えば、コンテンツの最後まで再生（視聴）せずにコンテンツの消去が行われた場合には、利用者がそのコンテンツは視聴するに値しないとの判断を行ったことが推認できるため、重み付け係数をマイナスの値とし、推薦度合いを低下させるとしてもよい。
【０１７０】
その他各部の処理は実施形態８と同様である。
【０１７１】
<実施形態９：効果>
【０１７２】
本実施形態は、コンテンツ推薦情報は、処理識別情報に応じた処理ごとに重み付けを行った重み付けコンテンツ処理数に基づいて生成される推薦強度情報を含むことに特徴を有するコンテンツ処理装置である。推薦する際に重視すべき処理に対して重み付けを行うことで、より適切な推薦が行われることが期待できる。また、重み付けの係数をマイナスの値とすれば、推薦すべきでないと判断されるコンテンツの推薦度合いを低下させることもできる。
【０１７３】
<<実施形態１０>>
【０１７４】
<実施形態１０：概要>
【０１７５】
実施形態１０について説明する。本実施形態は、コンテンツ推薦情報を利用すべきコンテンツ処理装置のコンテンツ処理情報を他のコンテンツ処理装置のコンテンツ処理情報と異なる重み付けを行って前記コンテンツ推薦情報を生成することに特徴を有するコンテンツ処理システムである。
【０１７６】
<実施形態１０：構成>  本実施形態での機能ブロックの一例は図２１にしめした。
【０１７７】
図２１に示す「コンテンツ処理装置」（２１００）は、「コンテンツ推薦情報利用部」（２１０７）、「処理部」（２１０１）と、「コンテンツ処理情報保持部」（２１０２）と、「コンテンツ処理情報送信部」（２１０３）と、「コンテンツ処理情報受信部」（２１０４）と、「コンテンツ処理情報集計部」（２１０５）と、「コンテンツ推薦情報生成部」（２１０６）とからなる。
【０１７８】
「コンテンツ推薦情報生成部」（２１０６）は、コンテンツ推薦情報を利用すべきコンテンツ処理装置のコンテンツ処理情報を他のコンテンツ処理装置のコンテンツ処理情報と異なる重み付けを行って前記コンテンツ推薦情報を生成する。コンテンツ推薦情報を利用すべきコンテンツ処理装置のコンテンツ処理情報は、コンテンツ処理情報保持部（２１０２）に保持されていたものが、コンテンツ処理情報送信部（２１０３）より送信されることが想定される。コンテンツ処理装置が、複数のコンテンツ処理装置からのコンテンツ処理情報を集計する場合には、コンテンツ処理情報に送信元であるコンテンツ処理装置の識別情報などを含ませておくことで、コンテンツ推薦情報を利用すべきコンテンツ処理装置のコンテンツ処理情報を識別できる。コンテンツ推薦情報を利用すべきコンテンツ処理装置のコンテンツ処理情報を他のコンテンツ処理装置のコンテンツ処理情報と異なる重み付けを行って前記コンテンツ推薦情報を生成することで、コンテンツ処理装置の利用者の趣味・嗜好も勘案されたコンテンツ推薦情報も生成することが期待できる。なお、コンテンツ推薦情報は、「コンテンツ推薦情報利用部」（２１０７）にて利用される。利用の形態は、ディスプレイに対する表示と、その表示に対するポインティングデバイスなどの指示に基づくコンテンツの利用が可能な状態とすること。または、音声によるコンテンツ推薦情報の出力、電子メールなどによるコンテンツ推薦情報の出力、プリンターなどによるコンテンツ推薦情報の出力、などである。
【０１７９】
図１８は、本実施形態のコンテンツ推薦情報の一例を示した図である。前提として、複数のコンテンツ処理装置（ａ、ｂ、ｃ）からのコンテンツ処理情報を集計したコンテンツ処理集計装置が、コンテンツ処理装置（ａ）に対してコンテンツ推薦情報を送信するものとする。
【０１８０】
まず、複数のコンテンツ処理装置（ａ、ｂ、ｃ）からのコンテンツ処理情報を集計しコンテンツ処理集計情報とする。コンテンツ処理集計情報から、コンテンツ識別情報「２０」で識別される映画のコンテンツに対する処理数が多いことが分かる。また、処理数が多い処理は再生処理である。
【０１８１】
一方、このコンテンツ処理集計情報の他、コンテンツ推薦情報の送信先であるコンテンツ処理装置（ａ）のコンテンツ処理情報にも基づいてコンテンツ推薦情報を生成する。コンテンツ処理情報がどのコンテンツ処理装置から送信されたかは、コンテンツ処理情報にコンテンツ処理装置の識別情報などを含めることで判別できる。ここでは、コンテンツ処理装置識別情報「５００１」で識別できるコンテンツ処理情報がコンテンツ処理装置（ａ）のコンテンツ処理情報である。このコンテンツ処理情報によるとコンテンツ処理装置（ａ）は、スポーツ番組のコンテンツを再生中であるから、推薦された映画のコンテンツについて視聴することはできない。したがって、コンテンツ処理集計情報で映画のコンテンツに対して再生処理の処理数が多いが、録画処理を推薦するコンテンツ推薦情報を生成するとしてもよい。
【０１８２】
また、その他の例としては、コンテンツ推薦情報の送信先であるコンテンツ処理装置のコンテンツ処理情報に基づいて、コンテンツ処理装置の利用者の趣味・嗜好に合致するコンテンツ推薦情報を生成することができる。例えば、コンテンツ処理情報に基づいて、コンテンツ処理装置（ａ）の利用者はスポーツに関連するコンテンツに対する嗜好が強いと認められる場合には、コンテンツ処理集計情報からコンテンツに対する処理数はコメディ映画のコンテンツが最も多い場合であっても、下位の順位のスポーツ映画のコンテンツを推薦するコンテンツ推薦情報を生成するとしてもよい。
【０１８３】
その他各部の処理については、実施形態１から６と同様である。
【０１８４】
<実施形態１０：効果>
【０１８５】
本実施形態は、コンテンツ推薦情報を利用すべきコンテンツ処理装置のコンテンツ処理情報を他のコンテンツ処理装置のコンテンツ処理情報と異なる重み付けを行って前記コンテンツ推薦情報を生成することに特徴を有するコンテンツ処理システムである。コンテンツ処理集計情報だけでなく、コンテンツ推薦情報を利用するコンテンツ処理装置自身のコンテンツ処理情報をも勘案することで、実行可能な処理が推薦されることによって、コンテンツの処理が促進されることが期待できる。
【０１８６】
<<実施形態１１>>
【０１８７】
<実施形態１１：概要>
【０１８８】
実施形態１１について説明する。本実施形態は、処理識別情報で識別される例示的に列挙された処理をコンテンツに対して行うことに特徴を有するコンテンツ処理システムである。
【０１８９】
<実施形態１１：構成>  本実施形態での機能ブロックの一例は図２に示したものと同様である。
【０１９０】
図２に示す「コンテンツ処理装置」（０２００）は、「処理部」（０２０１）と、「コンテンツ処理情報保持部」（０２０２）と、「コンテンツ処理情報送信部」（０２０３）と、「コンテンツ処理情報受信部」（０２０４）と、「コンテンツ処理情報集計部」（０２０５）と、「コンテンツ推薦情報生成部」（０２０６）とからなる。
【０１９１】
「処理部」（２１０１）は、コンテンツに対して処理を行うが、このときの処理は処理識別情報で識別することができる。このとき、処理識別情報で識別される処理は、コンテンツの取得の予約、コンテンツの取得、コンテンツの保持、コンテンツの利用、コンテンツの消去、コンテンツの購入、コンテンツの譲渡、コンテンツの貸し渡し、コンテンツの評価、コンテンツの一部再生、コンテンツの再生中録画、コンテンツの録画中再生、コンテンツのＨＤＤ録画、コンテンツのＤＶＤ録画、コンテンツのダビング、携帯端末へのコンテンツの移動、コンテンツの早送り、コンテンツの早送り再生、コンテンツの巻き戻し、コンテンツの巻き戻し再生、コンテンツのスロー再生、コンテンツの一旦停止、コンテンツのコマ送り再生、コンテンツのランダム再生、コンテンツのプログラム順以外の順番での再生、所定時間内のコンテンツの再生、コンテンツとコンテンツ処理装置の識別情報とを関連付けた処理、所定の場所でのコンテンツの取得、所定の場所でのコンテンツの再生、コンテンツ推薦情報に基づくコンテンツの再生、主画面での再生、子画面での再生のいずれか一又は二以上の組み合わせからなる処理である。コンテンツ推薦情報の生成において、処理識別情報を含むコンテンツ処理情報が用いられる。つまり、コンテンツ処理装置で上記処理が行われることはコンテンツの推薦に反映されることになる。
【０１９２】
「コンテンツの取得」とは、コンテンツをコンテンツ処理装置内に取り込むことをいう。例えば、放送、インターネット配信等されるコンテンツを受信・録画する場合や、媒体（ＤＶＤ、ＣＤ−ＲＯＭなど）から取り込む場合などが該当する。また、「コンテンツの取得の予約」は、コンテンツの取得を予め登録することをいう。日時、放送局などを登録しておくことで、登録したコンテンツの録画が行われることなどが該当する。
【０１９３】
「コンテンツの保持」は、コンテンツを一時的、または、恒久的にコンテンツ処理装置内に蓄積することをいう。「コンテンツの利用」は、コンテンツの再生、あるいは、コンテンツの実行（コンテンツがプログラムの場合）を行うことをいう。また、コンテンツの再生には、受信することによる受信再生、記録媒体などに記録されているものを再生する記録再生の両者が含まれうる。「コンテンツの消去」は、保持されたコンテンツを削除、あるいは、他のコンテンツなどを上書きすることをいう。コンテンツが不要であるとの利用者の意思が推認できるため、この処理はコンテンツ推薦情報の生成においては、負として作用させるとしてもよい。
【０１９４】
「コンテンツの購入」は、コンテンツの対価を支払い、所有権を獲得することをいい、「コンテンツの譲渡」は、コンテンツの所有権を移転することをいう。「コンテンツの貸し渡し」は、コンテンツの所有権を返還する契約付で移転することをいう。
【０１９５】
また「コンテンツの評価」は、コンテンツの内容等に対する価値をいい、利用者がコンテンツを視聴した後に入力する場合などが想定される。コンテンツに下された評価を、コンテンツ推薦情報の生成に活用するとしてもよい。
【０１９６】
「コンテンツの一部再生」は、コンテンツを部分的に再生することをいう。コンテンツの全体を再生しないことは、コンテンツが最後まで視聴するに値しないとの利用者の意思が推認できるため、この処理はコンテンツ推薦情報の生成においては、負として作用させるとしてもよい。
【０１９７】
「コンテンツの再生中録画」は、コンテンツを再生中に、再生中のコンテンツと同じコンテンツの録画を行うことをいい、「コンテンツの録画中再生」は、コンテンツを録画中に並行して、録画中のコンテンツとは別のコンテンツの再生を行うことをいう。また、「コンテンツのＨＤＤ録画」は、コンテンツをハードディスクに録画することをいい、「コンテンツのＤＶＤ録画」は、コンテンツをＤＶＤに録画することをいう。一般に、ＤＶＤに録画する場合には、利用者がコンテンツを恒久的に保存する意思が推認できるため、利用者にとってそのコンテンツの価値が高いと判断でき、この処理はコンテンツ推薦情報の生成においては、正として作用させるとしてもよい。
【０１９８】
「コンテンツのダビング」は、コンテンツを別の記録媒体へ複製することをいう。「携帯端末へのコンテンツの移動」は、携帯端末にてコンテンツの再生等が行えるようコンテンツを携帯端末に送信することをいう。携帯端末にてコンテンツを再生する場合は、すぐに視聴したいとの利用者の意思が推認できるため、この処理はコンテンツ推薦情報の生成においては、正として作用させるとしてもよい。
【０１９９】
「コンテンツの早送り」は、コンテンツを通常より速い速度で順送りすることをいう。「コンテンツの早送り再生」は、コンテンツを早送りしながら再生することをいう。「コンテンツの巻き戻し」は、コンテンツを逆送りすることをいう。「コンテンツの巻き戻し再生」は、コンテンツを巻き戻ししながら再生することをいう。「コンテンツのスロー再生」は、コンテンツを通常より遅い速度で再生することをいう。「コンテンツの一旦停止」は、コンテンツの再生等の処理を一時的に中断することをいう。「コンテンツのコマ送り再生」は、コンテンツを一定コマごとに断続的に再生することをいう。「コンテンツのランダム再生」は、部分的にコンテンツの早送り、再生、早送り再生を実行することをいう。「コンテンツのプログラム順以外の順番での再生」は、コンテンツを保持された順以外の順序で再生を行うことをいう。コンテンツの再生の仕方により、コンテンツ推薦情報の生成において正あるいは負として作用させるための判断材料とできる。
【０２００】
「所定時間内のコンテンツの再生」は、あらかじめ設定等された所定の時刻にコンテンツの再生処理が実行されたことを示す。「コンテンツとコンテンツ処理装置の識別情報とを関連付けた処理」は、所定のコンテンツ処理装置がコンテンツに対して行う処理を示す。実施形態１０にて説明したように、コンテンツ推薦情報を利用すべきコンテンツ処理装置のコンテンツ処理情報にも基づいてコンテンツ推薦情報を生成することができる。「所定の場所でのコンテンツの取得」は、あらかじめ設定等された場所にてコンテンツを取得したことを示す。「所定の場所でのコンテンツの再生」は、あらかじめ設定等された所定の場所にてコンテンツの再生処理が実行されたことを示す。近似する場所にて頻繁にコンテンツを取得、再生する利用者は、ライフサイクルや趣味・嗜好などに共通性がある可能性が高いといえる。またこれらは、特にコンテンツ処理装置が携帯型の端末装置であった場合に有効である。「コンテンツ推薦情報に基づくコンテンツの再生」は、コンテンツ推薦情報で推薦されたコンテンツが再生されたことをいう。
【０２０１】
その他各部の処理については、実施形態１から６と同様である。
【０２０２】
<実施形態１１：効果>
【０２０３】
本実施形態は、処理識別情報で識別される例示的に列挙された処理をコンテンツに対して行うことに特徴を有するコンテンツ処理システムである。例示した各処理に基づいて、コンテンツ推薦情報が生成されることで、より利用者に適したコンテンツを推薦することが可能となる。
【０２０４】
<<実施形態１２>>
【０２０５】
<実施形態１２：概要>
【０２０６】
実施形態１２について説明する。本実施形態は、コンテンツ推薦情報生成部が生成したコンテンツ推薦情報を加工することに特徴を有するコンテンツ処理装置である。
【０２０７】
<実施形態１２：構成>  本実施形態での機能ブロックの一例は図１９に示す。
【０２０８】
図１９に示す「コンテンツ処理装置」（１９００）は、「処理部」（１９０１）と、「コンテンツ処理情報保持部」（１９０２）と、「コンテンツ処理情報送信部」（１９０３）と、「コンテンツ処理情報受信部」（１９０４）と、「コンテンツ処理情報集計部」（１９０５）と、「コンテンツ推薦情報生成部」（１９０６）と、さらに、「コンテンツ推薦情報加工部」（１９０７）とからなる。
【０２０９】
「コンテンツ推薦情報加工部」（１９０７）は、前記コンテンツ推薦情報生成部（１９０６）が生成したコンテンツ推薦情報を加工する。加工は、コンテンツ推薦情報の一部を削除、変更、追加等することをいう。コンテンツ処理装置を利用する利用者が自身の趣味・嗜好などに基づいてコンテンツ推薦情報を加工することで個別的にオリジナルなコンテンツ推薦情報を作成することができる。
【０２１０】
その他各部の処理については、実施形態１から６と同様である。
【０２１１】
<実施形態１２：効果>
【０２１２】
本実施形態は、コンテンツ推薦情報生成部が生成したコンテンツ推薦情報を加工することに特徴を有するコンテンツ処理装置である。コンテンツ処理装置を利用する利用者が自身の趣味・嗜好などに基づいてコンテンツ推薦情報を加工することで個別的にオリジナルなコンテンツ推薦情報を作成することができるため、有益である。
【０２１３】
<<実施形態１３>>
【０２１４】
<実施形態１３：概要>
【０２１５】
実施形態１３について説明する。本実施形態は、コンテンツ推薦情報生成部が生成したコンテンツ推薦情報又は、前記コンテンツ推薦情報加工部が加工したコンテンツ推薦情報を送信することに特徴を有するコンテンツ処理装置である。
【０２１６】
<実施形態１３：構成>  本実施形態での機能ブロックの一例は図２０に示す。
【０２１７】
図２０に示す「コンテンツ処理装置」（２０００）は、「処理部」（２００１）と、「コンテンツ処理情報保持部」（２００２）と、「コンテンツ処理情報送信部」（２００３）と、「コンテンツ処理情報受信部」（２００４）と、「コンテンツ処理情報集計部」（２００５）と、「コンテンツ推薦情報生成部」（２００６）と、「コンテンツ推薦情報加工部」（２００７）と、さらに、「コンテンツ推薦情報送信部」（２００８）とからなる。
【０２１８】
「コンテンツ推薦情報送信部」（２００８）は、前記コンテンツ推薦情報生成部（２００６）が生成したコンテンツ推薦情報又は、前記コンテンツ推薦情報加工部（２００７）が加工したコンテンツ推薦情報を送信する。送信先は、他のコンテンツ処理装置などが該当する。コンテンツ推薦情報を外部に送信することで、他者とのコンテンツ推薦情報のやり取りを行うことができる。
【０２１９】
その他各部の処理については、実施形態１２と同様である。
【０２２０】
<実施形態１３：効果>
【０２２１】
本実施形態は、コンテンツ推薦情報生成部が生成したコンテンツ推薦情報又は、前記コンテンツ推薦情報加工部が加工したコンテンツ推薦情報を送信することに特徴を有するコンテンツ処理装置である。他のコンテンツ処理装置などに対してコンテンツ推薦情報を送信することで、他者とのコンテンツ推薦情報のやり取りを行うことができる。
【図面の簡単な説明】
【０２２２】
【図１】実施形態１を説明するための概念図
【図２】実施形態１を説明するための機能ブロック図
【図３】実施形態１の処理の流れを説明する図
【図４】実施形態３を説明するための機能ブロック図
【図５】実施形態３の一例を示した図
【図６】実施形態３の処理の流れを説明する図
【図７】実施形態４を説明するための機能ブロック図
【図８】実施形態４の一例を示した図
【図９】実施形態４の処理の流れを説明する図
【図１０】実施形態５を説明するための機能ブロック図
【図１１】実施形態５の処理の流れを説明する図
【図１２】実施形態６を説明するための機能ブロック図
【図１３】実施形態６の処理の流れを説明する図
【図１４】実施形態７を説明するための機能ブロック図
【図１５】実施形態７の処理の流れを説明する図
【図１６】実施形態８の推薦強度情報の一例を示した図
【図１７】実施形態９の推薦強度情報の一例を示した図
【図１８】実施形態１０のコンテンツの推薦情報の一例を示した図
【図１９】実施形態１２を説明するための機能ブロック図
【図２０】実施形態１３を説明するための機能ブロック図
【図２１】実施形態１０を説明するための昨日ブロック図
【符号の説明】
【０２２３】
０２００    コンテンツ処理装置
０２０１    処理部
０２０２    コンテンツ処理情報保持部
０２０３    コンテンツ処理情報送信部
０２０４    コンテンツ処理情報受信部
０２０５    コンテンツ処理情報集計部
０２０６    コンテンツ推薦情報生成部
【図１】
2006129403.tif 000003
【図２】
2006129403.tif 000004
【図３】
2006129403.tif 000005
【図４】
2006129403.tif 000006
【図５】
2006129403.tif 000007
【図６】
2006129403.tif 000008
【図７】
2006129403.tif 000009
【図８】
2006129403.tif 000010
【図９】
2006129403.tif 000011
【図１０】
2006129403.tif 000012
【図１１】
2006129403.tif 000013
【図１２】
2006129403.tif 000014
【図１３】
2006129403.tif 000015
【図１４】
2006129403.tif 000016
【図１５】
2006129403.tif 000017
【図１６】
2006129403.tif 000018
【図１７】
2006129403.tif 000019
【図１８】
2006129403.tif 000020
【図１９】
2006129403.tif 000021
【図２０】
2006129403.tif 000022
【図２１】
2006129403.tif 000023